(57)【特許請求の範囲】
【請求項１】
スライディング障子の横框にケース体を固定すると共に、そのケース体の中に操作材を障子見付け方向に往復動可能に設けると共に、その操作材に対し戸先側には回動可能に軸支され半開放状態を維持するための第一規制駒を設ける一方、戸尻側には回動可能に軸支され障子閉塞状態を維持するための第二規制駒を設け、
前記操作材の戸先側と戸尻側の端部には、それぞれ、前記第一規制駒と前記第二規制駒の突出部を押圧して回動させる端部片を設けると共に、少なくとも一方の前記端部片には、さらに前記第一規制駒と前記第二規制駒の少なくとも一方の前記突出部と係合する係合部を設け、
前記第一規制駒と前記第二規制駒とは、それぞれ、ばねにより常時付勢されていて前記操作材の両端部それぞれの前記端部片が前記突出部を押圧しない場合には前記他の障子の移動を許可する中立状態にあり、
前記操作材が前記中立状態の位置から障子見付け方向内側に移動し当該操作材の戸尻側の前記端部片を前記第二規制駒の前記突出部に押圧させて当該第二規制駒を回動させることにより、当該第二規制駒の当接部を前記他の障子の戸尻框又はサッシ枠の縦材が当接するように前記ケース体より突出させて前記障子閉塞状態へ移行させる一方、
前記操作材が前記中立状態の位置から障子見付け方向外側に移動し前記操作材の戸先側の前記端部片を前記第一規制駒の前記突出部に押圧させて当該第一規制駒を回動させることにより、当該第一規制駒の当接部を他の障子の戸尻框又はサッシ枠の縦材が当接するように前記ケース体より突出させて前記半開放状態へ移行させることを特徴とするスライディングサッシ。
【請求項２】
請求項１記載のスライディングサッシにおいて、
前記第一規制駒と前記第二規制駒の少なくとも一方の前記突出部は、山形状であり、
当該突出部と係合する前記係合部は、前記操作材の少なくとも一方の前記端部片の両側を突出させた係合切欠であり、当該係合切欠を山形状の前記突出部に係合しながら押圧して前記第一規制駒と前記第二規制駒の少なくとも一方を回動させること特徴とするスライディングサッシ。
【請求項３】
請求項１または請求項２記載のスライディングサッシにおいて、
前記操作材が前記他の障子を移動許可状態にした中立状態から障子見付け方向内側に移動して前記第二規制駒を回動させることにより、当該第二規制駒の当接部を前記他の障子の戸尻框又はサッシ枠の縦材が当接するように突出させて前記障子閉塞状態へ移行した際、当該第二規制駒の戸先側の第一係止部片と戸尻側の第二係止部片とがそれぞれ前記ケース体の当該第二規制駒用の係止部と受止部片とに係止する一方、
前記操作材が前記中立状態から障子見付け方向外側に移動して前記第一規制駒を回動させることにより、当該第一規制駒の当接部を他の障子の戸尻框又はサッシ枠の縦材が当接するように突出させて前記半開放状態へ移行した際、当該第一規制駒の戸先側の第一係止部片と戸尻側の第二係止部片とをそれぞれ前記ケース体の当該第一規制駒用の係止部と受止部片とに係止させることを特徴とするスライディングサッシ。
【請求項４】
請求項１〜請求項３のいずれか一の請求項に記載のスライディングサッシにおいて、
前記操作材には、一方の端部片と平行に突設した弾性片を設け、該弾性片の鉤状の先端部がケース体の空隙域内に障子見付け方向に並べて設けた複数のスリット溝に順次係離するように構成したことを特徴とするスライディングサッシ。
【発明の詳細な説明】
【技術分野】
【０００１】
本発明は、防犯効果を期待した、片引きサッシ、引違いサッシ等のスライディングサッシに関するものである。
【背景技術】
【０００２】
片引きサッシや引違いサッシ等のスライディングサッシは、全開放時はともかく、閉塞状態時および換気に際して行われる半開放時に、防犯効果を意図して、閉塞状態時に、所謂クレセントによる施錠の外にサブロックとして例えば、引違いサッシの外障子の下框に、内障子の移動通路上に突出させる係止駒を出入自在に装置した構造のもの（例えば、特許文献１）が、半開放状態時には、内障子の案内路上に係止駒を突出させて、障子とサッシ枠との間の換気用間隙が一定以上広がらないようにした構造のものが利用されるときがある（例えば、特許文献２）。
【０００３】
前記特許文献１の構造のものは、引違いサッシのサブロック機能を期待し、また、特許文献２のものは障子半開放状態を維持するためにそれぞれ専ら用いられているのであるが、サブロック機能と半開放状態維持の両機能を備えたスライディングサッシが希求され、その希求に答えるものとして、サブロック機能するものと障子半開放状態の維持を機能するものを障子横框（概し、下框）に並設した構造のものが提案され、これらのいずれかを状況に応じて用いるようにしている。
【先行技術文献】
【特許文献】
【０００４】
【特許文献１】実開昭５２−２７４９３号公報
【特許文献２】特開平１１−２０５９号公報
【発明の概要】
【発明が解決しようとする課題】
【０００５】
サブロック機能するものと半開放状態の維持の機能を備えたものを並設した前記提案のものは、一方を機能させるとき、すなわち、係止駒を、例えば、内障子の案内路上に突出させるときは、他方側の係止駒を原状態に戻す操作を必要とする。つまり、一方が機能しているときは、該一方を機能しない状態にして他方を機能する状態におくという２操作を必要とし、使用勝手上、良好とはいえない。
【０００６】
本発明は、一方を機能させるとき（半開放状態の維持におくとき）は、他方を機能させている状態（サブロック機能の状態）から自動的に解除できるようにして、一動作で済ませ使用勝手上良好な、防犯効果上優れたスライディングサッシを提供することを目的として創案したものである。
【課題を解決するための手段】
【０００７】
本発明に係るスライディングサッシの第１の特徴は、スライディング障子の横框にケース体を固定すると共に、そのケース体の中に操作材を障子見付け方向に往復動可能に設けると共に、その操作材に対し戸先側には回動可能に軸支され半開放状態を維持するための第一規制駒を設ける一方、戸尻側には回動可能に軸支され障子閉塞状態を維持するための第二規制駒を設け、前記操作材の戸先側と戸尻側の端部には、それぞれ、前記第一規制駒と前記第二規制駒の突出部を押圧して回動させる端部片を設けると共に、少なくとも一方の前記端部片には、さらに前記第一規制駒と前記第二規制駒の少なくとも一方の前記突出部と係合する係合部を設け、前記第一規制駒と前記第二規制駒とは、それぞれ、ばねにより常時付勢されていて前記操作材の両端部それぞれの前記端部片が前記突出部を押圧しない場合には前記他の障子の移動を許可する中立状態にあり、前記操作材が前記中立状態の位置から障子見付け方向内側に移動し当該操作材の戸尻側の前記端部片を前記第二規制駒の前記突出部に押圧させて当該第二規制駒を回動させることにより、当該第二規制駒の当接部を前記他の障子の戸尻框又はサッシ枠の縦材が当接するように前記ケース体より突出させて前記障子閉塞状態へ移行させる一方、前記操作材が前記中立状態の位置から障子見付け方向外側に移動し前記操作材の戸先側の前記端部片を前記第一規制駒の前記突出部に押圧させて当該第一規制駒を回動させることにより、当該第一規制駒の当接部を他の障子の戸尻框又はサッシ枠の縦材が当接するように前記ケース体より突出させて前記半開放状態へ移行させるように構成したことである。
また、本発明に係るスライディングサッシの第２の特徴は、前記第一規制駒と前記第二規制駒の少なくとも一方の前記突出部は、山形状であり、当該突出部と係合する前記係合部は、前記操作材の少なくとも一方の前記端部片の両側を突出させた係合切欠であり、当該係合切欠を山形状の前記突出部に係合しながら押圧して前記第一規制駒と前記第二規制駒の少なくとも一方を回動させるように構成したことである。
また、本発明に係るスライディングサッシの第３の特徴は、前記操作材が前記他の障子を移動許可状態にした中立状態から障子見付け方向内側に移動して前記第二規制駒を回動させることにより、当該第二規制駒の当接部を前記他の障子の戸尻框又はサッシ枠の縦材が当接するように突出させて前記障子閉塞状態へ移行した際、当該第二規制駒の戸先側の第一係止部片と戸尻側の第二係止部片とがそれぞれ前記ケース体の当該第二規制駒用の係止部と受止部片とに係止する一方、前記操作材が前記中立状態から障子見付け方向外側に移動して前記第一規制駒を回動させることにより、当該第一規制駒の当接部を他の障子の戸尻框又はサッシ枠の縦材が当接するように突出させて前記半開放状態へ移行した際、当該第一規制駒の戸先側の第一係止部片と戸尻側の第二係止部片とをそれぞれ前記ケース体の当該第一規制駒用の係止部と受止部片とに係止させるように構成したことである。
また、本発明に係るスライディングサッシの第４の特徴は、前記操作材には、一方の端部片と平行に突設した弾性片を設け、該弾性片の鉤状の先端部がケース体の空隙域内に障子見付け方向に並べて設けた複数のスリット溝に順次係離するように構成したことである。
【発明の効果】
【０００８】
本発明によれば、操作材が中立状態の位置から障子見付け方向内側に移動し当該操作材の戸尻側の端部片を第二規制駒の突出部に押圧させて当該第二規制駒を回動させることにより、当該第二規制駒の当接部を他の障子の戸尻框又はサッシ枠の縦材が当接するようにケース体より突出させて障子閉塞状態へ移行する一方、操作材が中立状態の位置から障子見付け方向外側に移動し操作材の戸先側の端部片を第一規制駒の突出部に押圧させて当該第一規制駒を回動させることにより、当該第一規制駒の当接部を他の障子の戸尻框又はサッシ枠の縦材が当接するようにケース体より突出させて半開放状態へ移行する。
そのため、障子の閉塞状態時と半開放状態時のいずれの場合に移行する場合も、一の操作材の移動によって第二規制駒および第一規制駒を回動させて障子の移動（開放状態への）を規制し防犯機能上優れたスライディングサッシを提供できる。また、障子の閉塞状態と半開放状態への移行は、一の操作材が中立状態の位置から障子見付け方向内側または障子見付け方向外側へ水平移動することによって障子の閉塞状態と半開放状態との切替えを一動作で行えるので、使用勝手上も良好なスライディングサッシを提供できる。
また、操作材が中立状態の位置から障子見付け方向に移動して操作材の端部片の係合部が規制駒の突出部に係合した場合には、その係合関係がガイド効果を奏するので、操作材の端部片の摺動方向の動きを安定させることができる。
【図面の簡単な説明】
【０００９】
【図１】引違いサッシの正面図。
【図２】図１の一部拡大縦断面図。
【図３】障子を全開放できる状態の本発明要部の横断面図。
【図４】障子閉塞時の本発明要部の縦断面図。
【図５】障子閉塞時から障子半開放時に至る途中時の本発明要部の横断面図。
【図６】本発明要部の障子半開放時の横断面図。
【図７】ケース体の正面図。
【図８】図７のｘ−ｘ線断面図。
【図９】図７のｙ−ｙ線断面図。
【図１０】規制駒の一部欠截正面図。
【図１１】図１０の側面図。
【図１２】図１０の平面図。
【図１３】操作材の正面図。
【図１４】図１３の平面図。
【発明を実施するための形態】
【００１０】
図面は本発明に係るスライディングサッシの一実施形態を示し、実施形態のスライディングサッシは、窓枠Ｗに内、外障子Ｄａ，Ｄｂを組付けた引違いサッシを示すが、開放時に障子が嵌め殺し部と屋内外方向に重なり合う片引きサッシにも本発明を適用できるものである。
【００１１】
図中、１は外障子Ｄｂの下框で、該下框１に前記内障子Ｄａの戸尻側縦框（召合せ框）３´の移動路上すなわち戸尻側縦框３´と見付け方向に重なり合う位置に突出させる一対の規制駒４，４´を設け、一方の半開放状態維持用規制駒４を突出させたときは、内障子Ｄａの戸先側縦框２´と前記窓枠Ｗの一方の縦枠５´との間および外障子Ｄｂの戸先側縦框２と窓枠Ａの他方の縦枠５との間それぞれに、人の出入りができない程度の開口幅の換気間隙が形成できるようにし、他方の閉塞状態維持用規制駒４´を突出させたときは、内、外障子Ｄａ，Ｄｂのスライド移動を阻止し、外障子Ｄｂの戸先側縦框２と他方の縦枠５とが、また、内障子Ｄｂの戸先側縦框２´と一方の縦枠５´とがそれぞれ互いに該閉塞状態を維持する所謂サブロックを機能させるようにしたものである。
【００１２】
なお、半開放状態維持用規制駒４と閉塞状態維持用規制駒４´は、外障子Ｄｂの上框６側に設けても良いし、上框６側に設けて、下框１側に設けるのを省略しても良い。この点は、本発明を片引きサッシに適用する場合も同様で、外動片引きサッシに適用する場合は、実施形態のおける内障子Ｄａが嵌め殺し部に変わる点が引違いサッシと相違するだけであり、従って、外動片引きサッシの嵌め殺し部の方立などの縦材が、内障子Ｄａの戸尻側縦框３´に対応することになる。内動片引きサッシに適用する場合は、外障子Ｄｂが嵌め殺し部に変わる。従って、内動片引きサッシの嵌め殺し部の方立などの縦材が、外障子Ｄｂの戸尻側縦框３に対応することになる。
【００１３】
半開放状態維持用規制駒４（以下、第一規制駒４と称す）と閉塞状態維持用規制駒４´（以下、第二規制駒４´と称す）は、外障子Ｄｂの下框１の中空部１０１の屋内側部片１０１ａに設けた窓口７を通じて前記中空部１０１に係合した屋内面側開口のケース体９に、該規制駒４，４´間に介在させた操作材８と共に収容されて障子移動規制具Ａを構成し、操作材８の障子見付け方向に沿う移動によって窓口７（ケース体９の開口）を通じて下框１屋内面側に当接部４０２，４０２´が選択的に突出し、障子Ｄａ又はＤｂの移動を規制する。
【００１４】
障子移動規制具Ａは、上下部片９０４，９０４´と戸先側部片９０５および戸尻側部片９０５´並びに奥壁部片９０２で成る横長のケース体９と、該ケース体９長手方向の中央部に設けた指先挿入凹部９０１の両側に、ケース本体９より一部が前記の通り突出する支軸１０，１０´で枢着した前記第一、第二の規制駒４，４´と、該規制駒４，４´に対するばね１１，１１´の付勢に抗して前記規制駒４，４´の一方を選択的に回動、起立させて前記ケース体９より一部を突出させる前記操作材８とで構成する。
【００１５】
ケース体９は、前記の通り、障子見付け方向に長く、外障子Ｄｂの屋内面側を開口した、細長い箱体で成り、奥（底）壁部片９０２の中央部に設けた（前記操作材８の、主体片８０１に設けた嵌合部片８０１ａを摺嵌した）、障子見付け方向に長い窓口９０３を備え、この窓口９０３の屋内面側には、前記奥壁部片９０２と前記操作材８の装入間隙ａを存して前記指先挿入凹部９０１を重ね合わせてある。そして、該指先挿入凹部９０１の長手方向（前記障子見付け方向）の一側を第一規制駒４の係合間隙１２、他側を第二規制駒４´の係合間隙１２´とし、一方の係合間隙１２を構成する前記戸先側部片９０５（前記ケース体９の長手方向の一方の端部片である）の屋内外方向中間位置に、第一規制駒４の支軸１０側の基端部に設けた係止部片４０１が接離する係止部９０６を設け、この係止部９０６に対して斜め向かいに位置する、前記指先挿入凹部９０１の、障子戸先側の部片９０１ａの開口端部（屋内面側端部）には、前記第一規制駒４の前記基端部に対する先端部に、当接部４０２と並べるようにして突設した第二係止部片４０３が接離する受止部片９０１Ａを突設してある。また、ケース体９の他方の係合間隙１２´を構成する前記指先挿入凹部９０１の、前記障子戸先側の部片９０１ａに相対する障子戸尻側の部片９０１ｂには、前記係止部９０６と同一平面上にして部片を突設して、第二規制駒４´の基端部に設けた係止部片４０１´が接離する係止部９０６´と成し、この係止部９０６´に対して斜め向かいに位置する前記ケース体９の戸尻側部片９０５´の開口端部（屋内面側端部）には前記第二規制駒４´の先端部に、内障子Ｄａの戸尻側縦框３´に当接する当接部４０２´と並べるようにして突設した第二係止部片４０３´が接離する受止部片９０１Ａ´を突設してある。
【００１６】
第一、第二の規制駒４，４´は、互いに同形な（同形でなくとも良い）合成樹脂体で成り、屋内端側に位置する、長方形平板状の主体部片４ａ，４´ａに上下一対の部片４ｂ，４´ｂ、４ｃ，４´ｃと該上下の部片４ｂ，４ｃ、４´ｂ，４´ｃ間に介在させた中央部片４ｄ，４´ｄを上下の部片４ｂ，４´ｂ、４ｃ，４´ｃと並べて突設して（これらの間に補強用のスペーサ部片４ｅ，４´ｅを配して）構成し、上下の部片４ｂ，４´ｂ、４ｃ，４´ｃの前記主体部片４ａ，４´ａの屋外側面に沿う自由端縁を、凹凸状にして前記操作材８の端部に押圧される、山形状の突出部４０４，４０４´を設け、この突出部４０４，４０４´の一側である、規制駒４，４´の基部には前記支軸１０，１０´を挿通する組付け孔１４，１４´と前記係止部片４０１，４０１´を、また、先端部側には前記当接部４０２，４０２´と第二係止部片４０３，４０３´を設けたものである。
【００１７】
前記操作材８は、障子見付け方向に長い長方形状の主体片８０１の一方の片面に、３条の嵌合部片を８０１ａ，８０１ａを並べて突設し、他の片面の長手方向の中央に摘み８０２（ケース体９の指先挿入凹部９０１の奥壁部片９０１ｄに設けた、障子見付け方向に長い長孔９０１ｃに挿通させて先端を指先挿入凹部９０１内に突出させる）を突設すると共に、主体片８０１の長手方向の両端に中央部を延長させて主体片８０１より幅狭い端部片８０３，８０３´を設け、該端部片８０３，８０３´を前記ケース体９の奥壁部片９０２と前記規制駒４又は４´間に強制的（ばね１１，１１´の付勢に抗して）装（挟）入するようにしたものである。この操作材８の一方の端部片８０３の両側には、該端部片８０３を介在させて、該端部片８０３と平行させて前記主体片８０１より突設した弾性片８０４を設け、該弾性片８０４の鉤状の先端部８０４ａがケース体９の上下部片９０４，９０４´の前記空隙ａ域内に障子見付け方向に並べて設けたスリット溝１７，１７，１７を順次係離するようになっている。また、操作材８の他方の端部片８０３´の先端には、第一規制駒４の山形状の突出部４０４と係合する係合切欠８０５´が設けられている。
【００１８】
そして、ケース体９の係合間隙１２に、ばね１１を組合わせて第一規制駒４を係合し、支軸１０を、一端を該第一規制駒４に他端を戸先側部片９０５に係止するように配したばね１１（の巻回状部）と駒４に設けた組付け孔１４を通じて、ケース体９の上、下部片９０４，９０４´に設けた透孔１８に係合して（上、下部片９０４，９０４´に架設して）第一規制駒４をケース体９に組付け、同様に、ケース体９の、他方の係合間隙１２´に、ばね１１´を組合わせて第二規制駒４´を係合し、一端を該第二規制駒４´に、他端を障子戸尻側の部片９０１ｂ（指先挿入凹部９０１）に係止するように配したばね１１´（の巻回状部）と第二規制駒４´に設けた組付け孔１４´を通じて支軸１０´を、ケース体９の上、下部片９０４，９０４´に設けた透孔１８´に係合して、上、下部部片９０４，９０４´に架設して第二規制駒４´をケース体９に組付けると、各規制駒４，４´は、ばね１１，１１´の付勢によって支軸１０，１０´を中心に回動付勢され、ケース体９の係合間隙１２，１２´間に収納された状態でケース体９に組付けられる。
【００１９】
次いで、第一、第二の規制駒４，４´間に介在するケース体９の指先挿入凹部９０１内に、窓口９０３および長孔９０１ｃを通じて操作材８の摘み８０２を挿入するようにして主体片８０１を指先挿入凹部９０１の奥壁部片９０１ｄに重ね合わせ、その外側から蓋枠２１をケース体９に組付けることによって実施形態の障子移動規制具Ａを得ることができる。
【００２０】
外障子Ｄｂの下框１に前記の通り組付けた、この障子移動規制具Ａの操作材８は、障子開放時に、第一、第二の各規制駒４，４´のいずれ側にも偏することなく、両規制駒４，４´間の中央部に位置し、各規制駒４，４´は、ばね１１，１１´によって係合間隙１２，１２´内すなわち下框１内に納められた状態にあり、外障子Ｄｂ（内障子Ｄａ側）は、全開放状態を得られる状態にある。
【００２１】
この状態すなわち施錠装置を機能させていない状態で外障子Ｄｂ（内障子Ｄａ）を閉じている時（図３の状態）に、下框１外から摘み８０２を摘んで操作材８を外障子Ｄｂの戸尻框（召合せ框）３方向に摺動させると、操作材８は、摘み８０２が長孔９０１ｃ内を、または、操作材８の主体片８０１の嵌合部片８０１ａが窓口９０３（前記の通り、ケース体９に蓋枠２１を組付けるので、この窓口９０３は蓋枠２１に塞がれ凹入部と成るが、蓋枠２１は省略しても不都合はない）内をそれぞれ移動できる範囲内で、戸尻框３方向に摺動し、該操作材８の戸尻框３側の端部片８０３の進路上には、障子閉塞状態維持用規制駒すなわち第二規制駒４´の突出部４０４´がばね１１´の付勢によって位置している（図３）ので、操作材８の端部片８０３は該突出部４０４´を押圧し、突出部４０４´によって押圧された第二規制駒４´は支軸１０´を中心にばね１１´の付勢に抗して回動し、係止部片４０１´が係止部９０６´に、また、第二係止部片４０３´が受止部片９０１Ａ´に係止する範囲まで回動する。そして、当接部４０２´が、内障子Ｄａの戸尻框３´と障子見付け方向に重なり合う位置に下框１より突出し、両障子Ｄａ，Ｄｂは、戸尻框３´と第二規制駒４´との接触関係によりその移動が阻止され、第二規制駒４´はサブロック（例えば、クレセントに次ぐ）として機能する（図４）。
【００２２】
なお、操作材８の端部片８０３は、突出部４０４´とケース体９の奥壁部片９０２にばね１１´の付勢によって挟持されているので操作材８の移動（原位置方向への）は規制され、第二規制駒４´による前記障子閉塞状態は維持される。
【００２３】
そして、この閉塞状態時に、摘み８０２を摘んで操作材８を原位置に戻すと、ばね１１´の作用により第二規制駒４´は原位置に復帰して外障子Ｄｂ（内障子Ｄａも）を全開放できる状態（図３の状態）を得られる。このとき、操作材８が原位置の状態で、端部片８０３´先端の係合切欠８０５´が、第一規制駒４の山形状の突出部４０４と係合している（この時点では、端部片８０３´は突出部４０４を押圧していない）。この全開放できる状態を得てから、更に、前記操作材８を原位置に戻す操作に継続させて戸先框２方向に摺動させると、操作材８は前記の範囲内で戸先框２方向に摺動し、該操作材８の戸先框２側の端部片８０３´の進路上には、前記の通り、係合切欠８０５´に係合して突出部４０４がばね１１の付勢によって位置しているので、操作材８の端部片８０３´は係合切欠８０５´において該突出部４０４の山形の形状に沿ってこれを押圧し（図５）、突出部４０４によって押圧された第一規制駒４は支軸１０を中心にばね１１の付勢に抗して回動する。さらに、操作材８を戸先框方向に摺動すると、突出部４０４は係合切欠８０５´の係合を外れて端部片８０３´に乗り上げる。この乗り上げに至る間、係合切欠８０５´と突出部４０４の係合関係がガイド効果を奏し、端部片８０３´の摺動方向の動きが安定する。その結果、端部片８０３´は突出部４０４とケース体９の奥壁部片９０２に挟持され、係止部片４０１が係止部９０６に、また、第二係止部片４０３が受止部片９０１Ａに係止する範囲まで回動して当接部４０２が内障子Ｄａの戸尻框３´と障子見付け方向に重なり合う位置に下框１より突出し、両障子Ｄａ，Ｄｂは、戸尻框３´と第一規制駒４との接触関係によりその移動が阻止され、両障子Ｄａ，Ｄｂの戸尻框３，３´が離開できる範囲の開口幅の半開放状態を得られる（図６）。操作材８を原位置に復帰させれば、図３で示す全開放状態にできる状態となることは勿論である。
【００２４】
なお、操作材８の端部片８０３´は、突出部４０４ケース体９の奥壁部片９０２にばね１１の付勢によって挟持されているので、第一規制駒４による前記障子閉塞状態は維持されることは勿論である。
【００２５】
また、操作材８の移動中に、操作材８の端部片８０３に設けた弾性片８０４の先端部８０４ａは、該弾性片８０４自体の弾性作用によりケース体９側に並設したスリット溝１７を順次出入りするので、所謂クリック感を得ることができる。
【符号の説明】
【００２６】
Ｄａ    内障子
Ｄｂ    外障子
１      外障子の下框
３´    内障子の戸尻框
４      半開放状態維持用規制駒（第一規制駒）
４´    障子閉塞状態維時用規制駒（第二規制駒）
８      操作材
１１，１１´        ばね
４０４，４０４´    突出部
【図１】
0005841341.tif 000002
【図２】
0005841341.tif 000003
【図３】
0005841341.tif 000004
【図４】
0005841341.tif 000005
【図５】
0005841341.tif 000006
【図６】
0005841341.tif 000007
【図７】
0005841341.tif 000008
【図８】
0005841341.tif 000009
【図９】
0005841341.tif 000010
【図１０】
0005841341.tif 000011
【図１１】
0005841341.tif 000012
【図１２】
0005841341.tif 000013
【図１３】
0005841341.tif 000014
【図１４】
0005841341.tif 000015